(57)【要約】【課題】複数のゴミ収容部を配置良く成形するようにしたのでゴミを分別して溜めて置くに至便であり、しかも部屋に整然と置け部屋の美観を損なうようなことがない簡易ゴミ箱を提供する。【解決手段】開口する上端面をゴミ投入口１８とすると共に外周側面にもゴミ投入口６を開設した筒状本体１からなり、前記各ゴミ投入口６，１８の近傍に対向位置して買物袋Ｆの両手提げ部ｆ１，ｆ１をそれぞれ掛止するための一対の掛止部１６，１６を設け、前記筒状本体１内には各ゴミ投入口６，１８と対応するゴミ収容部１９，２０を成形して構成される。【選択図】図１
2005067795.tif 000002
【特許請求の範囲】
【請求項１】
開口する上端面をゴミ投入口とすると共に外周側面にもゴミ投入口を開設した筒状本体からなり、前記各ゴミ投入口の近傍に対向位置して買物袋の両手提げ部をそれぞれ掛止するための一対の掛止部を設け、前記筒状本体内には各ゴミ投入口と対応するゴミ収容部を成形したことを特徴とする簡易ゴミ箱。
【請求項２】
開口する上端面をゴミ投入口とすると共に外周側面にもゴミ投入口を開設した筒状本体からなり、前記各ゴミ投入口の近傍に対向位置して買物袋の両手提げ部をそれぞれ掛止するための一対の掛止部を設け、また前記各ゴミ投入口の周端縁に買物袋の両結び部をそれぞれ差し込むための一対のスリットを設け、前記筒状本体内には各ゴミ投入口と対応するゴミ収容部を成形したことを特徴とする簡易ゴミ箱。
【請求項３】
開口する上端面をゴミ投入口とすると共に外周側面にもゴミ投入口を開設した筒状本体からなり、前記各ゴミ投入口の近傍に対向位置して買物袋の両手提げ部をそれぞれ掛止するための一対の掛止部を設け、また前記各ゴミ投入口の周端縁に買物袋の両結び部をそれぞれ差し込むための一対のスリットを設け、前記筒状本体の外周側面に開設されたゴミ投入口の上縁に内側へ折れ曲りその上部のゴミ収容部と下部のゴミ収容部とを仕切る仕切片を設け、前記筒状本体内には各ゴミ投入口と対応するゴミ収容部を成形したことを特徴とする簡易ゴミ箱。
【請求項４】
前記筒状本体が段ボール紙から成形されている請求項１又は２又は３記載の簡易ゴミ箱。
【発明の詳細な説明】
【技術分野】
【０００１】
本発明は、スーパーマーケットなどで食品を入れて持ち帰ったプラスチック製の買物袋を使用して簡易に組み立てられ、しかも、ゴミを分別して溜めて置くのに至便な簡易ゴミ箱に関するものである。
【背景技術】
【０００２】
一般に、スーパーマーケットなどでは客が買った食品を持ち帰るに便利なように所謂スーパー袋と称されるプラスチック製の買物袋が手渡される。そして、客はその買物袋に食品を入れて家に持ち帰るが、食品を冷蔵庫などに納めてしまえば、前記買物袋は用が済んで残る。そこで、この買物袋を有効に利用できるようにゴミ箱として利用するようにしたものがある（特許文献１参照。）。
【特許文献１】特開平６−２５５７０２号公報（第２頁、図３）
【発明の開示】
【発明が解決しようとする課題】
【０００３】
ところで、最近、リサイクルの機運が高まり、全国の地方自治体は廃棄するゴミを種類ごとに分別してゴミを回収するようにしており、これに対応するべく各家庭ではゴミを種類毎に分別して出すようにしている。しかしながら、前記特許文献１に記載のごみ箱では器が一つしかないことから、これのみでは種類の異なるゴミをそれぞれ分別して溜めて置くことが難しい。そこで、この種同じごみ箱を２個または３個用意し、部屋の隅などに配置しておくことになるが、これらを平面的に置くと広い場所を取り邪魔であるばかりか、扱い難くややもすると足で一つの器を転ばし中のゴミを周囲に散らかしてしまうといったおそれもある。また、雑然として部屋の美観を壊し、好ましいことではない。
そこで、本発明は上記課題を解決すべくなされたもので、複数のゴミ収容部を配置良く成形するようにしたのでゴミを分別して溜めて置くに至便であって扱い易く、しかも、部屋に整然と置けて部屋の美観を損なうようなことがない簡易ゴミ箱を提供することを目的とするものである。
【課題を解決するための手段】
【０００４】
かかる目的を達成するため本発明に係る簡易ゴミ箱は、開口する上端面をゴミ投入口とすると共に外周側面にもゴミ投入口を開設した筒状本体からなり、前記各ゴミ投入口の近傍に対向位置して買物袋の両手提げ部をそれぞれ掛止するための一対の掛止部を設け、前記筒状本体内には各ゴミ投入口と対応するゴミ収容部を成形して構成される。
【０００５】
または、本発明に係る簡易ゴミ箱は、開口する上端面をゴミ投入口とすると共に外周側面にもゴミ投入口を開設した筒状本体からなり、前記各ゴミ投入口の近傍に対向位置して買物袋の両手提げ部をそれぞれ掛止するための一対の掛止部を設け、また前記各ゴミ投入口の周端縁に買物袋の両結び部をそれぞれ差し込むための一対のスリットを設け、前記筒状本体内には各ゴミ投入口と対応するゴミ収容部を成形して構成される。
【０００６】
または、本発明に係る簡易ゴミ箱は、開口する上端面をゴミ投入口とすると共に外周側面にもゴミ投入口を開設した筒状本体からなり、前記各ゴミ投入口の近傍に対向位置して買物袋の両手提げ部をそれぞれ掛止するための一対の掛止部を設け、また前記各ゴミ投入口の周端縁に買物袋の両結び部をそれぞれ差し込むための一対のスリットを設け、前記筒状本体の外周側面に開設されたゴミ投入口の上縁に内側へ折れ曲りその上部のゴミ収容部と下部のゴミ収容部とを仕切る仕切片を設け、前記筒状本体内には各ゴミ投入口と対応するゴミ収容部を成形して構成される。
【０００７】
いずれの場合も、前記筒状本体は段ボール紙で成形されることが好ましい。
【発明の効果】
【０００８】
請求項１記載の発明にあっては、筒状本体に複数のゴミ収納部を配置良く成形するようにしたので、種類の異なるゴミを手際よく分別して収容でき取り扱い易く至便である。しかも、広い面積を取ることがないから邪魔にならず、足で倒してしまうといった危険性も少ないという効果がある。
【０００９】
また、請求項２記載の発明にあっては、前記請求項１の発明の効果に加え一対の掛止部と共にスリットが設けられることにより買物袋の口をしっかりと保持できゴミの収容がし易いという効果がある。
【００１０】
更に、請求項３記載の発明にあっては、前記請求項１及び２の発明の効果に加え仕切片が設けられることにより仮にその上部のゴミ収容部に収容されゴミの入った買物袋がその重さに耐えかねて下方へ落ちたとしても、仕切片により支えられるので安全であるという効果がある。
【００１１】
請求項４記載の発明のように筒状本体を段ボール紙で成形するようにすれば、筒状本体が一枚の段ボール紙を打抜き折り曲げて接着するのみで成形され、組み立てが極めて簡単である。また、展開した状態または折り畳んだ状態で輸送できることから、一個々の容積が少なく輸送効率に優れる。更に、製作コストを低廉になし得るばかりか筒状本体を廃棄する場合は折畳んで段ボール紙として処分できるので、廃棄処理が容易であるという多くの効果を有する。
【発明を実施するための最良の形態】
【００１２】
以下、本発明の簡易ゴミ箱の実施の形態について図面に基づき詳しく説明する。図１は本発明に係る簡易ゴミ箱の斜視図、図２は同展開平面図である。筒状本体１は、図２に示すように横長長方形状の一枚の段ボール紙ａから成形される。詳しくは、前記段ボール紙ａに短手方向に沿って平行な複数本の折曲線２が設けられ、一側から後板３ｂ，側板４，前板３ａ，側板４がそれぞれその順番で連接され、一端側の側板４の外側縁に糊代５が設けられている。
【００１３】
前記前板３ａには、略中央に方形状のゴミ投入口６が開設されるが、その上縁に折曲線２ａを介してゴミ投入口６を覆いかつ該ゴミ投入口６とほぼ同じ大きさからなる仕切片７が連接されている。この仕切片７の下縁にはほぼ中央に差込片部８が突設される。また、前板３ａの上縁９中央とゴミ投入口６の下縁１０中央にそれぞれ所定深さのスリット１１が同一線上に並ぶようにして設けられている。これらスリット１１は後記する買物袋Ｆの両結び部ｆ２を差し込み保持するためのものである。
【００１４】
前記後板３ｂには、中央部の上側に前記仕切片７下端の差込片部８が差し込まれる挿通孔１２が開設され、その下方に前記ゴミ投入口６の下縁と同じ高さの下縁１３を有する通孔１４が開設されている。通孔１４は大人の握り拳が入る程度の大きさを有する。また、後板３ｂの上縁９中央と通孔１４の下縁１３中央に前記と同様にそれぞれ所定深さのスリット１１が同一線上に並ぶようにして設けられている。
【００１５】
各側板４には、略中央一側に前記ゴミ投入口６と連通する三角形状の削取部１５が設けられ、上縁９近傍と前記削取部１５の下縁近傍とにそれぞれ掛止部１６が設けられている。各掛止部１６はほぼ横長楕円輪郭に沿い上辺一部を除いて切込１７を設けて成形されている。この掛止部１６は、買物袋Ｆの両手提げ部ｆ１を掛止するためのものである。
【００１６】
前記段ボール紙ａは、例えばトムソン加工機によって所定の形状に打抜きされる。そして、糊代５に接着剤を塗布すると共に各折曲線２に沿って折り曲げ、糊代５を後板３ｂの一側縁内面に接着させる。また、仕切片７を折曲線２ａを支点にして内側へ折り曲げ、下端縁の差込片部８を挿通孔１２に挿通させる。
【００１７】
これにより、図１に示すように開口する上端面をゴミ投入口１８とすると共に外周側面にゴミ投入口６が開設された筒状本体１からなり、前記各ゴミ投入口６，１８の近傍に対向位置して一対の掛止部１６が設けられ、前記各ゴミ投入口６，１８の周端縁であって両掛止部１６，１６と水平面内でほぼ９０度異ならせた位置にスリット１１が設けられ、また前記筒状本体１の外周側面に開設されたゴミ投入口６の上縁に内側へ折れ曲るようにして仕切片７が設けられ横断面が方形状をなす筒状の簡易ゴミ箱Ａが成形される。この簡易ゴミ箱Ａの内部は、その水平断面が新聞紙を三つ折りした大きさとほぼ同じ大きさからなり、上部と下部にそれぞれ各ゴミ投入口６，１８と連通するゴミ収容部１９，２０が成形される。なお、筒状本体１の下端面も開口されるが、前板３ａ、後板３ｂまたは側板４の下端縁に底板（図示せず。）を連設して下端面も塞ぐようにしても良い。
【００１８】
スーパーマーケットなどで食品を購入した客に渡されるプラスチック製の買物袋Ｆは、上縁両側に対向位置して手を通す二個の手提げ部ｆ１が設けられ、上縁中央部に同じく対向位置して二個の結び部ｆ２が設けられている。そこで、上端面をゴミ投入口１８として簡易ゴミ箱Ａを部屋の床上面に起立して配置する。そして、図３、図４に示すように買物袋Ｆをそれぞれゴミ投入口６，１８から底部を下にしてゴミ収容部１９，２０に収容させ、各手提げ部ｆ１を両側板４，４の外面側へ折り曲げると共に外側へ引き起こした各掛止部１６に掛け止める。更に、各結び部ｆ２を各スリット１１に差し込む。
【００１９】
これにより、一つの簡易ゴミ箱Ａに二つの買物袋Ｆ１，Ｆ２が上下に取り付けられ、ゴミの種類、例えば紙とプラスチックによって分別して収容でき取り扱い易い。しかも、広い面積を取ることがないから邪魔にならない。また、各買物袋Ｆ１，Ｆ２は、両手提げ部ｆ１，ｆ１が一対の掛止部１６，１６に掛け止められ、両結び部ｆ２，ｆ２が一対のスリット１１，１１に差し込まれ支持されることから、各買物袋Ｆ１，Ｆ２の口がしっかりと保持できゴミが収容し易い。
【００２０】
また、仕切片７が設けられることにより筒状本体１が強度的に頑丈になるばかりでなく、仮にその上部に位置するゴミの入った買物袋Ｆ１がその重さに耐えかねて下方へ落ちたとしても、仕切片７により支えられるので安全である。そして、簡易ゴミ箱Ａを長く使用して古くなり、交換時期に来たときは買物袋Ｆ１，Ｆ２を外した状態でそのまま廃棄すればそのまま段ボール紙として処理されるので、処理がし易い。
【００２１】
簡易ゴミ箱Ａの内部は、その水平断面が新聞紙を三つ折りした大きさとほぼ同じ大きさからなることから、下部のゴミ収容部２０は買物袋Ｆを取り付けずに古新聞を溜めておく貯留部としても利用できる。この場合は、前記両スリット１１，１１に古新聞を縛るための紐の両端部を掛け止めしておくと良い。
【００２２】
本発明においては、外周側面にゴミ投入口６を一個開設したが、必要であれば二個または三個設けるようにしても良い。当然この場合は、筒状本体１の丈が長くなる。また、筒状本体１は横断面が方形状をなす筒状に成形したが、可能であれば水平断面が正三角形、正五角形などの正多角形または円形、楕円形であっても良い。更には、一個のゴミ収容部のみを有する筒状本体を成形し、これらを適宜連結手段、例えば上部の筒状本体の両側板に雄型フックまたは雌型フックを設け、下部の筒状本体の両側板に雌型フックまたは雄型フックを設け、これら雄・雌型フックを互いに係合させることにより、上方に多段に積み重ねて使用できるようにしても良い。
【００２３】
本発明に係る簡易ゴミ箱は段ボール紙から成形されているので、輸送する場合図２に示されるように展開した状態または図５に示されるように折り畳んだ状態で輸送できるので、最大限に減容でき輸送効率が向上できる。
【図面の簡単な説明】
【００２４】
【図１】本発明に係る簡易ゴミ箱の斜視図。
【図２】同展開平面図。
【図３】同使用状態の斜視図。
【図４】同縦断面図。
【図５】同折り畳んだ状態の斜視図。
【符号の説明】
【００２５】
１          筒状本体
６          ゴミ投入口
７          仕切片
１１        スリット
１６        掛止部
１８        ゴミ投入口
１９        ゴミ収容部
２０        ゴミ収容部
Ａ          簡易ゴミ箱
Ｆ          買物袋
ｆ１        手提げ部
ｆ２        結び部
【図１】
2005067795.tif 000003
【図２】
2005067795.tif 000004
【図３】
2005067795.tif 000005
【図４】
2005067795.tif 000006
【図５】
2005067795.tif 000007